(57)【要約】      （修正有） 【課題】周囲の騒音や混雑度合いにかかわらず、音声案内を適確に認識することが可能な音声案内装置を提供する。【解決手段】音声案内装置は、人感スイッチ１２と、この人感スイッチ１２の検出信号に基づいて混雑度合いを判定する混雑度合い判定部２４と、周囲の騒音を集音するマイク１１と、このマイク１１の検出信号に基づいて騒音レベルを判定する騒音レベル判定部２２と、混雑度合い判定部２４により判定した混雑度合いと騒音レベル判定部２２で判定した騒音レベルとに基づいて、スピーカ１５から出力される音声案内の再生音量と再生間隔とを変更する音声再生制御部２３とを備える。【選択図】図２
0003196003.tif 000002
【実用新案登録請求の範囲】
【請求項１】
騒音に応じて音声案内のレベルを変更する音声案内装置において、
人感スイッチと、
前記人感スイッチが単位時間当たりに検出した人の数に応じて混雑度合いを判定する混雑度合い判定部と、
周囲の騒音を集音するマイクと、
前記マイクの検出信号に基づいて騒音レベルを判定する騒音レベル判定部と、
前記混雑度合い判定部により判定した混雑度合いに基づいて、音声案内の再生間隔を変更するとともに、前記混雑度合い判定部により判定した混雑度合いと、前記騒音レベル判定部で判定した騒音レベルとに基づいて、音声案内の再生音量を変更する音声再生制御部と、を備え、
前記混雑度合い判定部は、前記人感スイッチが検出した時間の長さを人の数の検出に使用することを特徴とする音声案内装置。
【請求項２】
請求項１に記載の音声案内装置において、
前記混雑度合い判定部が混雑度合いが高いと判定した場合、および、前記騒音レベル判定部が騒音レベルが大きいと判定した場合に、音声案内の再生音量を大きくする音声案内装置。
【請求項３】
請求項２に記載の音声案内装置において、
前記混雑度合い判定部が混雑度合いが高いと判定した場合に、音声案内の再生間隔を大きくする音声案内装置。
【考案の詳細な説明】
【技術分野】
【０００１】
この考案は、騒音に応じて音声案内のレベルを変更する音声案内装置に関する。
【背景技術】
【０００２】
このような音声案内装置は、視覚障害者への音声案内、駅構内における音声案内、道路における音声案内等を行う目的で使用される。ここで、音声による案内の伝達度は、その周囲の騒音レベルにより影響を受ける。すなわち、騒音レベルが大きい場合、音声案内の再生音量が小さいとその音声案内を十分認識することが困難となる。一方、音声案内が十分認識可能なように再生音量を大きくすると、夜間等の騒音レベルが小さいときに再生音量が過剰となり、音声案内自体が騒音となりかねない。このため、このような音声案内装置においては、騒音レベルに応じて音声案内の再生音量を変更している。
【０００３】
例えば、特許文献１には、音声案内等を行う拡声装置の近傍の騒音を検出するマイクロホンと、拡声装置の不動作時にマイクロホンによって検出される騒音の大きさに対応して拡声装置の音量を自動的に設定する拡声出力制御手段とを備え、音声案内エリアの周囲騒音の大きさに応じて音声案内放送の音量を自動的に可変するようにした音声案内装置が開示されている。
【０００４】
また、特許文献２には、騒音計測部により帯域フィルタで抽出した騒音信号の変化を計測するとともに、追従パターン生成部により騒音計測部で計測した騒音信号の最小値を追跡して暗騒音を求め、暗騒音の音圧レベルの変化から追従制御値の増加と減少の応答時定数を定める複数の追従パターンを決定し、騒音計測部で計測した騒音信号を追従パターン生成部で決定した複数の追従パターンで示す応答時定数により騒音信号に対して追従制御し、各追従パターンに応じた音量を示す追従制御値を求め、音量調節部は求めた追従制御値に２〜６ｄＢを加算して出力音量を出力する音声案内装置が開示されている。
【先行技術文献】
【特許文献】
【０００５】
【特許文献１】特開平８−３１７４９７号公報
【特許文献２】特開２００７−３２３４５１号公報
【考案の概要】
【考案が解決しようとする課題】
【０００６】
上述した従来の音声案内装置は、騒音レベルに応じて音声案内の再生音量を調整しているが、音声案内の再生間隔は全く考慮していない。再生間隔が長くなると、音声案内付近を通過する人に音声案内が十分に到達しない間に、その人が音声案内装置から離隔してしまう場合がある。一方、音声案内の再生間隔を極めて小さくすると、音声案内が過度に繰り返されることになり、音声案内自体が騒音となりかねない。
【０００７】
また、音声案内の認識度や到達度は、騒音レベルのみに依存するものではなく、人の混雑度合いにも影響を受けることが見いだされている。
【０００８】
この考案は上記課題を解決するためになされたものであり、周囲の騒音や混雑度合いにかかわらず、音声案内を適確に認識することが可能な音声案内装置を提供することを目的とする。
【課題を解決するための手段】
【０００９】
請求項１に記載の考案は、騒音に応じて音声案内のレベルを変更する音声案内装置において、人感スイッチと、前記人感スイッチが単位時間当たりに検出した人の数に応じて混雑度合いを判定する混雑度合い判定部と、周囲の騒音を集音するマイクと、前記マイクの検出信号に基づいて騒音レベルを判定する騒音レベル判定部と、前記混雑度合い判定部により判定した混雑度合いに基づいて、音声案内の再生間隔を変更するとともに、前記混雑度合い判定部により判定した混雑度合いと、前記騒音レベル判定部で判定した騒音レベルとに基づいて、音声案内の再生音量を変更する音声再生制御部と、を備え、前記混雑度合い判定部は、前記人感スイッチが検出した時間の長さを人の数の検出に使用することを特徴とする。
【００１０】
請求項２に記載の考案は、請求項１に記載の考案において、前記混雑度合い判定部が混雑度合いが高いと判定した場合、および、前記騒音レベル判定部が騒音レベルが大きいと判定した場合に、音声案内の再生音量を大きくする。
【００１１】
請求項３に記載の考案は、請求項２に記載の考案において、前記混雑度合い判定部が混雑度合いが高いと判定した場合に、音声案内の再生間隔を大きくする。
【考案の効果】
【００１２】
請求項１に記載の考案によれば、混雑度合いと騒音レベルとに基づいて音声案内の再生音量と再生間隔とを変更することから、周囲の騒音や混雑度合いにかかわらず音声案内を適確に認識することが可能となる。
【００１３】
また、人感スイッチを利用して混雑度合いを容易に判定することが可能となる。
【００１４】
さらに、複数の人が同時に装置付近を通過したことを、容易に判定することが可能となる。
【００１５】
請求項２に記載の考案によれば、混雑度合いが高く騒音レベルが大きい場合に、音声案内の再生音量を大きくすることにより、音声案内を適確に認識することが可能となる。
【００１６】
請求項３に記載の考案によれば、混雑度合いが高いことから人の移動速度が遅い場合に、音声案内の間隔を大きくして音声案内が過度に繰り返されるのを防止することが可能となる。
【図面の簡単な説明】
【００１７】
【図１】この考案に係る音声案内装置の概要図である。
【図２】この考案に係る音声案内装置の主要な電気的構成を示すブロック図である。
【図３】人感スイッチ１２を利用して混雑度合いを判定する方法を示す説明図である。
【考案を実施するための形態】
【００１８】
以下、この考案の実施の形態を図面に基づいて説明する。図１はこの考案に係る音声案内装置の概要図である。なお、図１(ａ)は音声案内装置の正面を、また、図１(ｂ)は音声案内装置の側面を示している。
【００１９】
この音声案内装置は、駅構内や公共施設内に設置して、視覚障害者等に対してどこに何があるのかを音声により案内するためのものであり、後述する各部材を収納したケーシング１０と、周囲の騒音を集音するためのマイク１１と、赤外線センサ等から構成される人感スイッチ１２と、ケーシング１０に形成された開口部と対応する位置に配設されたスピーカ１５とを備える。なお、マイク１１および人感スイッチ１２は、ケーシング１０の内部に設置してもよく、また、ケーシング１０の外部に設置してもよい。
【００２０】
図２は、この考案に係る音声案内装置の主要な電気的構成を示すブロック図である。
【００２１】
この音声案内装置は、マイク１１に接続された帯域フィルタ２１と、この帯域フィルタ２１に接続された騒音レベル判定部２２と、音声再生制御部２３と、人感スイッチ１２に接続された混雑度合い判定部２４とからなる制御部２０を備える。音声再生制御部２３は、音声信号発生部１３および音声信号増幅部１４に接続されている。
【００２２】
マイク１１により集音された騒音の音声信号は、帯域フィルタ２１により騒音信号として抽出され、騒音レベル判定部２２に送信される。騒音レベル判定部２２においては、この騒音信号に基づいて騒音レベルを判定する。
【００２３】
一方、人感スイッチ１２により検出された検出信号は、混雑度合い判定部２４に送信される。混雑度合い判定部２４においては、この検出信号に基づいて混雑度合いを判定する。
【００２４】
図３は、人感スイッチ１２を利用して混雑度合いを判定する方法を示す説明図である。この図において横軸は時間を示し、縦軸は人感スイッチ１２による人の検出信号の大きさを示している。
【００２５】
図３(ａ)に示すように、混雑度合い判定部２４は、単位時間Ｔ当たりに所定の閾値ＳＬ以上の信号を人感スイッチ１２から受信した回数を、単位時間Ｔ当たりに検出した人の数として、混雑度合いを判定する。図３(ａ)に示す場合には、単位時間Ｔ当たりに４回、閾値ＳＬ以上の信号を受信していることから、単位時間Ｔ当たりに４人が通過するような混雑度合いであると判定する。
【００２６】
また、複数の人が連続して通過した場合には、人感スイッチ１２による人の検出信号が重畳する。この場合には、混雑度合い判定部２４は、人感スイッチ１２が人を検出した時間の長さを利用して人の数を判定する。すなわち、図３(ａ)および図３(ｂ)に示すように、人感スイッチ１２による人の検出信号が閾値ＳＬを超えた時間がｔ１である場合には、一人の人が通過していると判断する。一方、図３(ｂ)に示すように、人感スイッチ１２による人の検出信号が閾値ＳＬを超えた時間がｔ２である場合には、二人の人が通過していると判断し、人感スイッチ１２による人の検出信号が閾値ＳＬを超えた時間がｔ３である場合には、三人の人が通過していると判断する。そして、この時間ｔ１、ｔ２、ｔ３の範囲を適正に設定することにより、人感スイッチ１２が人を検出した時間の長さを利用して人の数を適正に判定することが可能となる。
【００２７】
再度図２を参照して、音声再生制御部２３は、混雑度合い判定部２４により判定した混雑度合いと、騒音レベル判定部２２で判定した騒音レベルとに基づいて、音声案内の再生音量と再生間隔とを変更する。
【００２８】
すなわち、騒音レベル判定部２２で判定した騒音レベルが高いと判定した場合には、音声再生制御部２３は、音声案内の再生音量を大きくする。例えば、騒音レベルが７０乃至８０デジベルであった場合には、そのときの音声案内の再生音量を８３デシベル程度に設定する。一方、騒音レベル判定部２２で判定した騒音レベルが低いと判定した場合には、音声再生制御部２３は、音声案内の再生音量を小さくする。例えば、騒音レベルが０乃至４０デジベルであった場合には、音声再生制御部２３は、そのときの音声案内の再生音量を４３デシベル程度に設定する。
【００２９】
また、混雑度合い判定部２４で判定した混雑度合いが高いと判定した場合には、音声再生制御部２３は、音声案内の再生音量を大きくする。すなわち、混雑度合いが高い場合には、音声案内の音は人の皮膚や衣服に吸収されてしまい、必要な領域にまで到達しないことになる。このため、混雑度合いが高い場合には、音声案内の再生音量を大きくする必要がある。一方、混雑度合い判定部２４で判定した混雑度合いが低いと判定した場合には、音声再生制御部２３は、音声案内の再生音量を小さくする。
【００３０】
なお、混雑度合いに基づく音声案内の再生音量の変更は、騒音レベルに基づいて決定された音声案内の再生音量を大きく、または、小さく補正することにより実行される。但し、これとは逆に、混雑度合いに基づいて決定した音声案内の再生音量を、騒音レベルに基づいて変更するようにしてもよい。なお、騒音レベルおよび混雑度合いと、そのときの音声案内の再生音量との関係は、その適正値を予め実験により求めておき、テーブル等に記憶しておく。
【００３１】
一方、混雑度合い判定部２４により判定した混雑度合いが高いと判定した場合には、音声再生制御部２３は、音声案内の再生間隔を大きくする。すなわち、混雑度合いが高い場合には、人の歩行速度は遅くなる。このため、音声案内の再生間隔が小さかった場合には、音声案内が何度も繰り返して聞こえることになる。このため、このような場合には、音声案内の間隔を大きくすることにより、音声案内が過度に繰り返されるのを防止することが可能となる。一方、混雑度合いが低い場合には、人の歩行速度は速くなる。このため、混雑度合い判定部２４により判定した混雑度合いが低いと判定した場合には、音声再生制御部２３が音声案内の再生間隔を小さくすることにより、速い速度で通過する人に音声案内が確実に認識されるようにすることができる。
【００３２】
なお、混雑度合いと、そのときの音声案内の再生間隔との関係も、その適正値を予め実験により求めておき、テーブル等に記憶しておく。
【００３３】
音声再生制御部２３は、混雑度合い判定部２４により判定した混雑度合いに基づいて、音声信号発生部１３に音声信号の発生間隔を指定する信号を送信する。また、音声再生制御部２３は、混雑度合い判定部２４により判定した混雑度合いと騒音レベル判定部２２で判定した騒音レベルとに基づいて、音声信号増幅部１４に、音声信号発生部１３からの音声信号の増幅率を指定する信号を発信する。
【００３４】
そして、スピーカ１５は、音声信号発生部１３から発生され、音声信号増幅部１４で増幅された音声信号に基づいて、音声案内を再生する。
【００３５】
なお、上述した実施形態においては、赤外線センサ等から構成される人感スイッチ１２を使用しているが、発光部と受光部との間を通過する人の数を検出するような人感スイッチを使用してもよい。
【符号の説明】
【００３６】
１０ ケーシング
１１ マイク
１２ 人感スイッチ
１３ 音声信号発生部
１４ 音声信号増幅部
１５ スピーカ
２０ 制御部
２１ 帯域フィルタ
２２ 騒音レベル判定部
２３ 音声再生制御部
２４ 混雑度合い判定部
【図１】
0003196003.tif 000003
【図２】
0003196003.tif 000004
【図３】
0003196003.tif 000005